(57)【要約】      （修正有）【課題】簡単に設置することができるポールパーティション、及び柱状構造体を提供する。【解決手段】支柱１１を備えたポール本体１と、このポール本体１を起立状態に支持するための使用位置からポール本体１に対して折り畳まれた収納位置までの間で作動可能な脚と、この脚をポール本体１に支持させるために設けられ脚を接地させる動作を利用して脚を収納位置から使用位置に作動させる脚支持機構３とする。【選択図】図２
2015010429.tif 000002
【特許請求の範囲】
【請求項１】
支柱を備えたポール本体と、このポール本体を起立状態に支持するための使用位置から前記ポール本体に対して折り畳まれた収納位置までの間で作動可能な脚と、この脚を前記ポール本体に支持させるために設けられ前記脚を接地させる動作を利用して前記脚を前記収納位置から前記使用位置に作動させる脚支持機構とを具備することを特徴とするポールパーティション。
【請求項２】
前記脚が、複数の脚羽根と、これら各脚羽根の先端部にそれぞれ設けられ前記脚羽根の開閉方向に転動可能なキャスタとを備えたものであり、
前記脚支持機構が、支柱の下端部に取着されたエンドキャップと、このエンドキャップの上方に位置させて前記支柱の外周に昇降可能に配設され前記脚羽根の基端部を回動可能に支持するスライダと、前記脚羽根の中間部を前記エンドキャップに連結させる自由端リンクメンバとを備えたものである請求項１記載のポールパーティション。
【請求項３】
前記複数の脚羽根が、使用位置において前記支柱を中心にして放射状に展開されるものであり、その使用位置で前記脚羽根の基端が前記スライダの外周に当接して位置決めされるように構成されている請求項２記載のポールパーティション。
【請求項４】
前記キャスタが、前記脚羽根の開閉方向のみに転動可能なものである請求項２または３記載のポールパーティション。
【請求項５】
前記脚支持機構が、前記スライダを前記エンドキャップに対して離れる方向に弾性付勢する弾性部材を備えている請求項２、３または４記載のポールパーティション。
【請求項６】
前記ポール本体が、前記支柱の上端部に設けられる本体ベースと、この本体ベースの上方に設けられる照明部とを備えたものであり、
前記本体ベースが、前記照明部からの光を前記脚に向かって漏洩させる照射窓を備えている請求項１、２、３、４または５記載のポールパーティション。記載のポールパーティション。
【請求項７】
前記ポール本体が、その上端に転倒時に優先的に接地して衝撃を和らげる緩衝部を備えたものである請求項１、２、３、４、５または６記載のポールパーティション。
【請求項８】
支柱を備えたポール本体と、このポール本体を起立状態に支持するための使用位置から前記ポール本体に対して折り畳まれた収納位置までの間で作動可能な脚と、この脚を前記ポール本体に支持させるために設けられ前記脚を接地させる動作を利用して前記脚を前記収納位置から前記使用位置に作動させる脚支持機構とを具備することを特徴とする柱状構造体。
【発明の詳細な説明】
【技術分野】
【０００１】
本発明は、下端部に脚を備えたポールパーティション、及び柱状構造体に関するものである。
【背景技術】
【０００２】
誘導目的や空間の仕切り目的等に用いられるポールパーティションとして、支柱を備えたポール本体と、このポール本体を起立状態に支持するための脚とを備えたものが種々知られている（例えば、特許文献１を参照）。
【０００３】
ところで、近年、大地震等の大規模災害発生時に、体育館や公民館等の地域の避難所の他に、帰宅困難者の受け入れ施設として商業施設のロビーやホール等を開放することが要請されている。このような受け入れ施設において、避難者の誘導を行ったり、通路を確保したり、または、立ち入り禁止箇所の表示を行う等の目的でポールパーティションを使用することが考えられる。ところが、このような大規模災害発生時に、前述したようなポールパーティションを複数設置するにあたっては、次のような問題がある。
【０００４】
大規模災害発生時に利用するポールパーティションは、平時は倉庫等に保管されているため、大規模災害発生時にできるだけ手間をかけずに、すばやく設置したいという要望がある。しかしながら、通常のポールパーティションであると、収納時も脚が開いた状態であるためコンパクトに収納できない上に持ち運びが不便であり、また、設置した状態で簡単に動かないようにするべく非常に重かったため、必要な際に簡単に設置できないという不具合があった。
【０００５】
このような不具合は、ポールパーティションのみならず、例えばカメラの三脚等、下端部に脚を備えた柱状構造体でも同様に生じ得る。
【先行技術文献】
【特許文献】
【０００６】
【特許文献１】特開平９−１４４３８６号公報
【発明の概要】
【発明が解決しようとする課題】
【０００７】
本発明は、簡単に設置することができるポールパーティション、及び柱状構造体を提供することを目的とする。
【課題を解決するための手段】
【０００８】
本発明は、以上のような課題を解決するために、次のような構成を採用したものである。すなわち、本発明に係るポールパーティションは、支柱を備えたポール本体と、このポール本体を起立状態に支持するための使用位置から前記ポール本体に対して折り畳まれた収納位置までの間で作動可能な脚と、この脚を前記ポール本体に支持させるために設けられ前記脚を接地させる動作を利用して前記脚を前記収納位置から前記使用位置に作動させる脚支持機構とを具備することを特徴とする。
【０００９】
前記脚の好適な一態様としては、複数の脚羽根と、これら各脚羽根の先端部にそれぞれ設けられ前記脚羽根の開閉方向に転動可能なキャスタとを備えたものであり、前記脚支持機構が、支柱の下端部に取着されたエンドキャップと、このエンドキャップの上方に位置させて前記支柱の外周に昇降可能に配設され前記脚羽根の基端部を回動可能に支持するスライダと、前記脚羽根の中間部を前記エンドキャップに連結させる自由端リンクメンバとを備えたものが好ましい。
【００１０】
前記複数の脚羽根が、使用位置において前記支柱を中心にして放射状に展開されるものであり、その使用位置で前記脚羽根の基端が前記スライダの外周に当接して位置決めされるように構成されているものが好適な一態様として挙げられる。
【００１１】
前記キャスタは、前記脚羽根の開閉方向のみに転動可能なものが好ましい。
【００１２】
前記脚支持機構は、前記スライダを前記エンドキャップに対して離れる方向に弾性付勢する弾性部材を備えているものが好ましい。
【００１３】
前記ポール本体が、前記支柱の上端部に設けられる本体ベースと、この本体ベースの上方に設けられる照明部とを備えたものであり、前記本体ベースが、前記照明部からの光を前記脚に向かって漏洩させる照射窓を備えているものが好適な一態様として挙げられる。
【００１４】
前記ポール本体は、その上端に転倒時に優先的に接地して衝撃を和らげる緩衝部を備えたものが好ましい。
【００１５】
また、本発明の柱状構造体は、支柱を備えたポール本体と、このポール本体を起立状態に支持するための使用位置から前記ポール本体に対して折り畳まれた収納位置までの間で作動可能な脚と、この脚を前記ポール本体に支持させるために設けられ前記脚を接地させる動作を利用して前記脚を前記収納位置から前記使用位置に作動させる脚支持機構とを具備することを特徴とする。
【発明の効果】
【００１６】
本発明は、以上のような構成であるから、簡単に設置することができるポールパーティション、及び柱状構造体を提供することができる。
【図面の簡単な説明】
【００１７】
【図１】本発明の一実施形態にかかるポールパーティションの使用状態を示す外観図。
【図２】同ポールパーティションの使用状態を示す上方から見た斜視図。
【図３】同ポールパーティションの収納状態を示す上方から見た斜視図。
【図４】同ポールパーティションの使用状態を示す左側下方から見た斜視図。
【図５】同ポールパーティションの使用状態を示す正面図。
【図６】同ポールパーティションの収納状態を示す正面図。
【図７】同ポールパーティションの使用状態を示す底面図。
【図８】同ポールパーティションの収納状態を示す底面図。
【図９】図５のＸ−Ｘ線断面図。
【図１０】図９のＹ−Ｙ線断面図。
【図１１】図５の上部を拡大して示す中央側断面図。
【図１２】図５の下部を拡大して示す正面図。
【図１３】図６の下部を拡大して示す正面図。
【図１４】図５の下部を拡大して示す中央側断面図。
【図１５】図６の下部を拡大して示す中央側断面図。
【発明を実施するための形態】
【００１８】
以下、本発明の柱状構造体をポールパーティションＰに適用した一実施形態につき、図１〜図１５を参照して説明する。
【００１９】
本実施形態にかかるポールパーティションＰは、図１〜図１５に示すように、支柱１１を備えたポール本体１と、このポール本体１を起立状態に支持するための使用位置（Ａ）から前記ポール本体１に対して折り畳まれた収納位置（Ｂ）までの間で作動可能な脚２と、この脚２を前記ポール本体１に支持させるために設けられ前記脚２を接地させる動作を利用して前記脚２を前記収納位置（Ｂ）から前記使用位置（Ａ）に作動させる脚支持機構３とを具備してなる。
【００２０】
前記ポール本体１は、前記支柱１１を主体に構成されたものであり、図１〜図１５に示すように、この支柱１１の上部に設けられた本体ベース１２と、この本体ベース１２に設けられた掛止部１３と、前記支柱１１の上端側に設けられた照明部１４と、この照明部１４に電気を供給するための給電部１５と、前記支柱１１の上端部１１０に設けられた緩衝部１６とを備えている。
【００２１】
前記支柱１１は、図１〜図６及び図９〜図１５に示すように、上下方向に伸縮可能なものであり、テレスコープ状に組み合わせた上部パイプ１１１及び下部パイプ１１２と、これら両パイプ１１１、１１２を所望の伸縮位置においてロックするためのロック機構１１３とを備えている。
【００２２】
前記上部パイプ１１１は、図２、図４、図５、図９〜図１１及び図１５に示すように、アルミニウム製のパイプ材で作られており、前記下部パイプ１１２が外嵌されている。前記上部パイプ１１１の上端部１１４には、前記本体ベース１２の下端側が嵌合するとともに、当該上部パイプ１１１の下端部１１５には、前記給電部１５の後述する電池ボックス１５１が取り付けられている。
【００２３】
前記下部パイプ１１２は、図２〜図６、図９、図１０及び図１２〜図１５に示すように、アルミニウム製のパイプ材で作られている。前記下部パイプ１１２の上端部１１６には、前記ロック機構１１３が設けられているとともに、当該下部パイプ１１２の下端部１１７には、前記脚支持機構３を介して脚２が設けられている。なお、図１５では、下部パイプ１１２の下端部１１７側の一部を切断せずに示している。
【００２４】
前記ロック機構１１３は、図２〜図６、図９及び図１０に示すように、レバー１１８を回動させることにより、図１０において二点鎖線で示すような前記下部パイプ１１２に対して前記上部パイプ１１１をスライド移動可能な非ロック状態と、図１０において実線で示すような前記下部パイプ１１２に対して前記上部パイプ１１１をスライド移動不能なロック状態とを選択的にとり得るものである。具体的には、前記ロック機構１１３は、前記下部パイプ１１２の外周に嵌合されたガイド１０１と、このガイド１０１に枢着された前記レバー１１８と、このレバー１１８と前記ガイド１０１との間に配されたストッパー１０２とを具備してなる。前記ガイド１０１は、例えば合成樹脂により一体に成形されたもので、前記下部パイプ１１２の上端部１１６に取り付けられる筒状のガイド本体１０３と、前記下部パイプ１１２に設けられた干渉防止用の窓１００に対応させて前記ガイド本体１０３の周面上に設けられた窓１０４と、この窓１０４の外側に立設された軸取付部１０５とを備えている。前記レバー１１８は、例えば比較的剛性のある合成樹脂製のもので、基端部側に押圧部１０６を備えるとともに先端部側に操作部１０７を備えており、基端部側が前記ガイド１０１の軸取付部１０５に回動可能に軸支されている。前記ストッパー１０２は、例えば弾性変形可能な合成樹脂により一体に成形されており、厚み方向に変位可能なものである。前記ストッパー１０２は、前記ガイド１０１の窓１０４に嵌り込むストッパー本体１０８と、このストッパー本体１０８の基端に設けられ前記ガイド１０１の軸取付部１０５に支持される突部１０９とを備えている。
【００２５】
しかして、前記ロック機構１１３は、前記レバー１１８の操作部１０７が前記下部パイプ１１２に対して近付くように前記ロック状態まで回動された際に、前記レバー１１８の押圧部１０６が前記ストッパー１０２のストッパー本体１０８を厚み方向に押圧するようになっており、前記ストッパー本体１０８の内面側と前記上部パイプ１１１の外周面との間に発生する摩擦によって前記支柱１１をロック状態に保持している。すなわち、前記ストッパー１０２はパッキンのような役割をなすものであり、前記レバー１１８の作用点側と支柱１１の上部パイプ１１１との間を前記ストッパー１０２を介して密着させることができる。
【００２６】
前記本体ベース１２は、図１〜図８及び図１１に示すように、前記上部パイプ１１１の上端部１１０に直接取り付けられるインナーメンバー１２１と、このインナーメンバー１２１の外側に位置するアウターメンバー１２２とを備えている。前記インナーメンバー１２１は、合成樹脂製をなすブロック状のもので、前記上部パイプ１１１の上端部１１４に上方から嵌り合う嵌合部１２３と、この嵌合部１２３の周りに形成された底壁１２４と、前記嵌合部１２３の上方に形成され前記照明部１４の後述するメイン基盤１４１を位置決めして取り付けるためのメイン基盤取付部１２５とを備えている。前記底壁１２４は、前記照明部１４からの光を前記脚２に向かって漏洩させる照射窓１２６を備えている。前記アウターメンバー１２２は、合成樹脂製をなす箱状のもので、ビス１２９を用いて前記インナーメンバー１２１に固着されている。具体的には、前記アウターメンバー１２２は、前記インナーメンバー１２１の上端部の上側に配される天壁１２７と、この天壁１２７の周端から下方に垂下し前記インナーメンバー１２１の外周に嵌り合う垂下壁１２８と、この垂下壁１２８に設けられた掛止部１３とを備えている。
【００２７】
前記掛止部１３は、図１〜図６及び図１１に示すように、ロープやベルト等の仕切部材Ｒを着脱可能に掛け止めするためのもので、本実施形態では、アウターメンバー１２２の外周の対向する２箇所に設けられている。前記仕切部材Ｒとしては、例えば、外部からの光を受けて反射する反射ロープ等が使用できる。
【００２８】
前記照明部１４は、図１〜図６及び図１１に示すように、光源１４６をアウターメンバー１２２の上方に突出させた状態でインナーメンバー１２１に支持されたメイン基盤１４１と、メイン基盤１４１の光源１４６を囲うようにして前記アウターメンバー１２２の上端に止着された拡散筒１４２と、この拡散筒１４２の上端に設けられた反射板１４３と、この反射板１４３及び拡散筒１４２を囲うようにして前記アウターメンバー１２２の上端に止着されたランプカバー１４４と、このランプカバー１４４の上端に設けられたヘッド１４５と、前記メイン基盤１４１の光源１４６よりも下方であって前記照射窓１２６の上部に設けられ、当該照射窓１２６を介して光が漏洩される図示しない光源であるＬＥＤ照明部材とを備えている。前記メイン基盤１４１は、前記光源１４６であるＬＥＤ照明部材と、このＬＥＤ照明部材を駆動するための図示しないＬＥＤ駆動回路と、このＬＥＤ駆動回路をＯＮ／ＯＦＦするための図示しないスイッチとを備えている。なお、図１１では、光源１４６を切断せずに示している。
【００２９】
前記給電部１５は、図３、図６、図８、図１３及び図１５に示すように、電池を挿脱可能な電池ボックス１５１と、この電池ボックス１５１の端部に設けられ当該電池ボックス１５１に着脱可能な蓋１５２と、前記電池ボックス１５１を前記支柱１１に取り付けるための取付部１５３とを主体に構成されたものである。本実施形態では、電池ボックス１５１が前記取付部１５３をかしめることによって前記上部パイプ１１１の下端に固着されている。なお、支柱に穴をあけ、この穴を利用して電池ボックスを固定することも考えられるが、当該ポールパーティションを屋外等に設置した際に前記穴から水が入ってくる可能性がある。しかしながら、本実施形態では、前記電池ボックス１５１がパイプ材からなる前記支柱１１に穴をあけることなくかしめて固定されているので、上述した不具合の発生を防止できる。なお、図１５では、給電部１５を切断せずに示しているとともに、図９及び図１０では給電部１５の図示を省略している。
【００３０】
前記緩衝部１６は、図１〜図８及び図１１に示すように、転倒時に優先的に接地して衝撃を和らげるためにポール本体１の上端に設けられたゴム製のものであり、具体的には、前記ヘッド１４５の外周に環状に設けられている。
【００３１】
前記脚２は、図１〜図９及び図１２〜図１５に示すように、３本の脚羽根２１と、これら各脚羽根２１の先端部２１３にそれぞれ設けられ前記脚羽根２１の開閉方向に転動可能なキャスタ２２とを備えたものである。前記複数の脚羽根２１は、前記使用位置（Ａ）において前記支柱１１を中心にして放射状に展開されるとともに、前記収納位置（Ｂ）において前記支柱１１にほぼ平行となる。前記各脚羽根２１は、断面視コ字形をなすものであり、前記使用位置（Ａ）で前記脚羽根２１の基端２１６が前記スライダ３２の外周に当接して位置決めされるように構成されている。前記各脚羽根２１の先端側には、前記キャスタ２２が軸２２１を介して枢着されている。前記各キャスタ２２は、前記脚羽根２１の開閉方向のみに転動可能なものであり、車輪ベース２２３と、この車輪ベース２２３に外嵌される滑り止め用のゴム２２２とを備えている。なお、図１４及び図１５では、キャスタ２２を切断せずに示している。
【００３２】
前記脚支持機構３は、図１〜図９及び図１２〜図１５に示すように、前記脚２を使用位置（Ａ）と収納位置（Ｂ）との間で作動可能にするものであり、前記支柱１１の下端部１１９に取着されたエンドキャップ３１と、このエンドキャップ３１の上方に位置させて前記支柱１１の外周に昇降可能に配設され前記脚羽根２１の基端部２１１を回動可能に支持するスライダ３２と、前記脚羽根２１の中間部２１２を前記エンドキャップ３１に連結させる自由端リンクメンバ３３と、前記スライダ３２を前記エンドキャップ３１に対して離れる方向に弾性付勢する弾性部材３７とを備えたものである。
【００３３】
前記エンドキャップ３１は、図１〜図８及び図１２〜図１５に示すように、前記下部パイプ１１２の下端に外嵌されるものであり、前記下部パイプ１１２に対して移動不能に固着されている。詳述すれば、前記エンドキャップ３１は、内面側が前記下部パイプ１１２に密着するエンドキャップ本体３１１と、このエンドキャップ本体３１１の上方に設けられ前記下部パイプ１１２との間に前記弾性部材３７を配置可能な空間を介して配された周壁３１２と、前記エンドキャップ本体３１１の下方に設けられ前記支柱１１が最も縮められた状態において前記給電部１５の取付部１５３に係合する係合部３１３とを備えている。
【００３４】
前記スライダ３２は、図１〜図６、図９及び図１２〜図１５に示すように、前記エンドキャップ３１の上方に配されるものであって、前記下部パイプ１１２に対して上下方向にスライド移動可能に当該下部パイプ１１２の下端部１１７に外嵌されて設けられている。詳述すれば、前記スライダ３２は、内面側で前記下部パイプ１１２に摺接する天壁３２１と、この天壁３２１の周縁から垂下する周壁３２２とを備えており、前記周壁３２２が内面側で前記エンドキャップ３１の上端部の外周面３１５に摺接するようになっている。前記スライダ３２は、下端部に軸取付部３２３を備えており、前記下端部が第三の軸３６を介して前記脚羽根２１の基端部２１１の軸取付部２１４に軸支されるものである。
【００３５】
前記自由端リンクメンバ３３は、図１〜図７及び図１２〜図１５に示すように、基端部３３１が第一の軸３４を介して前記エンドキャップ３１の軸取付部３１４に軸支されるとともに、先端部３３２が第二の軸３５を介して前記脚羽根２１の中間部２１２の軸取付部２１５に軸支されるものである。
【００３６】
前記弾性部材３７は、図１４及び図１５に示すように、例えば圧縮コイルスプリングであり、前記支柱１１の下部パイプ１１２の外周に沿って前記エンドキャップ３１及びスライダ３２の内側に配されている。
【００３７】
次に、このポールパーティションＰの作動について説明する。
【００３８】
まず、各ポールパーティションＰは、例えば、前記支柱１１が最も短くなる状態、すなわち、前記下部パイプ１１２の内側に前記上部パイプ１１１の大部分が入り込んだ状態、かつ、前記脚２が収納位置（Ｂ）にある状態で横向きに収納されている。
【００３９】
この状態から、前記ロック機構１１３を解除して、各ポールパーティションＰの支柱１１を所望の長さに伸展させた後、前記ロック機構１１３で前記下部パイプ１１２に対する前記上部パイプ１１１の位置をロックする。
【００４０】
そして、前記支柱１１を掴んで、前記収納位置（Ｂ）にある脚２の先端部分、具体的には、前記キャスタ２２の下端部を床面に接地する。その後、前記支柱１１を掴んだ状態でこの支柱１１をさらに押し下げると、前記キャスタ２２の軸２２１が脚羽根２１の基端部２１１における第三の軸３６よりも外側に位置しているため、前記キャスタ２２が支柱１１を中心とした放射方向に転動する。このキャスタ２２の動きに伴って、前記脚羽根２１の先端部２１３が前記支柱１１から離れる方向に移動する。一方、前記脚羽根２１の基端部２１１は、前記スライダ３２に軸着されているため、前記弾性部材３７の弾性反発力に抗して前記エンドキャップ３１に近づく方向にスライド移動するスライダ３２の動きに伴って下方に移動する。
【００４１】
このように、本実施形態のポールパーティションＰは、前記脚２を接地させる動作を利用して、前記脚羽根２１を前記収納位置（Ｂ）から前記支柱１１を中心にして放射状に展開される前記使用位置（Ａ）に作動させる。
【００４２】
なお、前記使用位置（Ａ）では、前記脚羽根２１の基端２１６が前記スライダ３２の外周に当接して位置決めされており、当該ポールパーティションＰに外力が加えられない限り、前記脚２が使用位置（Ａ）に展開された状態を保っている。
【００４３】
逆に、前記ポールパーティションＰを片づける際には、前記支柱１１を掴んだ状態で上方へ持ち上げ、前記脚２を床面から離す。すると、前記弾性部材３７の弾性反発力により、前記スライダ３２が前記エンドキャップ３１に対して離れる方向に付勢される。前記脚羽根２１の基端部２１１は前記スライダ３２の動きに伴って上方に移動しながら、前記脚羽根２１が基端部２１１の前記第三の軸３６を中心に回動する。そして、前記脚羽根２１の中間部２１２は、前記第一の軸３４を中心に回動する前記自由端リンクメンバ３３によって前記第三の軸３６周りの回転動作の軌跡が制御されながら前記支柱１１側に移動する。
【００４４】
このように、本実施形態のポールパーティションＰは、前記弾性部材３７の付勢力を利用して、前記脚羽根２１を前記使用位置（Ａ）から前記支柱１１とほぼ平行に畳まれる前記収納位置（Ｂ）に作動させる。
【００４５】
なお、前記収納位置（Ｂ）では、前記第一、第二、第三の軸３４、３５、３６が、これら軸３４、３５、３６の中心と前記支柱１１との離間距離がほぼ一定となる状態で保持されている。そして、前記収納位置（Ｂ）では、前記ポールパーティションＰの脚２に外力が加えられない限り、前記脚２が収納位置（Ｂ）に畳まれた状態を保っている。本実施形態では、前記収納位置（Ｂ）で、前記第一の軸３４のみが、前記第二、第三の軸３５、３６よりもやや外側に配されているが、前記第一の軸３４が前記第二の軸３５のやや外側に配されているとともに前記第二の軸３５が前記第三の軸３６のやや外側に配されている等、各軸３４、３５、３６が上部（スライダ３２）側から下部（接地）側に向かって漸次外方に拡がる方向に位置するようなものであれば、前記作動をよりスムーズに行うことができる。
【００４６】
以上に述べたように、本実施形態にかかるポールパーティションＰは、支柱１１を備えたポール本体１と、このポール本体１を起立状態に支持するための使用位置（Ａ）から前記ポール本体１に対して折り畳まれた収納位置（Ｂ）までの間で作動可能な脚２と、この脚２を前記ポール本体１に支持させるために設けられ前記脚２を接地させる動作を利用して前記脚２を前記収納位置（Ｂ）から前記使用位置（Ａ）に作動させる脚支持機構３とを具備するので、手間をかけずにすばやく設置することができる。そのため、平時は脚２を折り畳んでコンパクトな状態で収納することができるとともに、大規模災害発生時には、前記脚２を接地させる動作を行うだけで簡単に設置することができる。したがって、商業施設のロビーやホール等の帰宅困難者受け入れ施設において、避難者の誘導や通路確保のため、または、ロビーやホール以外の場所、例えば、オフィスの執務スペースへの立ち入りを禁止する立ち入り禁止箇所の表示のために利用されるポールパーティションＰとして好適である。
【００４７】
前記脚２が、複数の脚羽根２１と、これら各脚羽根２１の先端部２１３にそれぞれ設けられ前記脚羽根２１の開閉方向に転動可能なキャスタ２２とを備えたものであり、前記脚支持機構３が、支柱１１の下端部１１９に取着されたエンドキャップ３１と、このエンドキャップ３１の上方に位置させて前記支柱１１の外周に昇降可能に配設され前記脚羽根２１の基端部２１１を回動可能に支持するスライダ３２と、前記脚羽根２１の中間部２１２を前記エンドキャップ３１に連結させる自由端リンクメンバ３３とを備えたものであるので、前記キャスタ２２の転動を伴って前記脚２を展開させることができる。特に、本実施形態は、３本の脚羽根２１を備えたものであるので、起立状態を安定させることができるとともに、横方向への移動を防止できる。
【００４８】
前記複数の脚羽根２１が、使用位置（Ａ）において前記支柱１１を中心にして放射状に展開されるものであり、その使用位置（Ａ）で前記脚羽根２１の基端２１６が前記スライダ３２の外周に当接して位置決めされるように構成されているので、前記支柱１１をしっかりと起立状態に保持しておくことができる。
【００４９】
特に、前記キャスタ２２が、前記脚羽根２１の開閉方向のみに転動可能なものであるので、一旦設置したら、ポールパーティションＰを持ち上げる等の外力が加わらない限り、その設置状態が保たれる。また、本実施形態のキャスタ２２は、外周面に滑り止め用のゴム２２２を備えているので、設置状態での不測の動作を抑制できる。
【００５０】
前記脚支持機構３が、前記スライダ３２を前記エンドキャップ３１に対して離れる方向に弾性付勢する弾性部材３７を備えているので、本実施形態のポールパーティションＰを早く設置できるだけでなく、弾性部材３７を用いて前記脚２を自己復帰させることにより早く撤去することもできる。また、収納位置（Ｂ）にある脚２を安定保持することができる。
【００５１】
前記ポール本体１が、テレスコープ状に組み合わせた上部パイプ１１１及び下部パイプ１１２と、これら両パイプ１１１、１１２を所望の伸縮位置においてロックするためのロック機構１１３とを備えた前記支柱１１を主体に構成されたものであるので、支柱１１を短く設定することによってコンパクトに収納しておくことができる。また、前記下部パイプ１１２に対する前記上部パイプ１１１の伸縮位置を適宜調整することにより、ポールパーティションＰの上端部分を所望の高さに設定することができる。
【００５２】
前記ポール本体１が、仕切部材Ｒを着脱可能に掛け止めするための掛止部１３を備えたものであるので、前記掛止部１３に前記仕切部材Ｒである反射ロープを取り付けて使用する態様と、前記掛止部１３に前記反射ロープを取り付けずにポールパーティションＰ単体で使用する態様とを選択することができる。特に、本実施形態のように仕切部材Ｒとして反射ロープを用いれば、大規模停電時等暗闇の中でも、少しの光が当たるだけで前記反射ロープが反射し、その位置を認識させることができる。
【００５３】
前記ポール本体１が、前記支柱１１の上端部１１０に設けられる本体ベース１２と、この本体ベース１２の上方に設けられる照明部１４とを備えたものであるので、暗闇の中でも、前記照明部１４から放出される光によって当該ポールパーティションＰの位置を認識させることができる。本実施形態の照明部１４は、使用時間の比較的長いＬＥＤ照明部材を電池で発光させるようにしているので、大規模停電時等電力の供給がストップした状況でも使用することができる。
【００５４】
特に、本実施形態においては、前記本体ベース１２が、前記照明部１４の前記照射窓１２６の上部に配された光源からの光を前記脚２に向かって漏洩させる照射窓１２６を備えているので、暗闇の中でこのポールパーティションＰの近くを通る通行人に前記脚２を認識させて、つまずきを防止することができる。
【００５５】
前記ポール本体１が、その上端に転倒時に優先的に接地して衝撃を和らげる緩衝部１６を備えたものであるので、転倒時に床が損傷するのを抑制できる。
【００５６】
さらに、本実施形態の支柱１１は、上部パイプ１１１及び下部パイプ１１２がアルミ製のものであるため、比較的軽量であり、簡単に運搬することができる。
【００５７】
なお、本発明は以上に述べた実施形態に限られない。
【００５８】
例えば、本発明の柱状構造体は、上述したポールパーティションに限られず種々適用可能であり、例えば、脚が使用位置と収納位置との間で作動可能であり、ポール本体の上部においてカメラを支持可能なカメラの三脚等であってもよい。
【００５９】
なお、ポール本体は、柱状であればどのようなものであってもよく、断面視ほぼ円形状をなすパイプ状のものには限られない。また、脚の構造も脚羽根を有するものには限られず種々変更可能である。さらに、脚羽根の本数も上述した３本に限られないのはもちろんである。
【００６０】
本発明のポールパーティションは、掛止部に仕切部材を繋いで使用してもよいし、仕切部材を繋ぐことなく使用してもよい。仕切部材は、前述した反射材を備えたロープの他、反射材を備えない通常のロープや、巻き取り式のベルト、テープ、紐その他種々のものを使用することができる。
【００６１】
また、脚羽根に外力が作用していないときに脚を収納位置で安定保持する保持要素を備えたものの他、このような保持要素を備えないものであってもよい。前記保持要素としては、上述の実施形態で説明した弾性部材のように自己復帰のための要素を兼ねるものの他に、脚を収納位置で一時的にロックするようなものであってもよい。
【００６２】
さらに、本発明の脚はキャスタを備えない（キャスタの転がりを利用しない）ものであってもよく、例えば、脚の接地動作を利用してロックが解除されるようなものであってもよい。
【００６３】
上述した実施形態では、使用位置で脚羽根の基端がスライダの外周に直接当接して位置決めされるようにしていたが、脚羽根の基端とスライダの外周との間に変形部材を介して間接的に当接して位置決めされるようなものであってもよい。例えば、前記変形部材として弾性変形するゴムやスポンジ等を利用すれば、接地面（床）が平らでない場合にも、全ての脚羽根を接地させることができる。すなわち、支柱を起立させた状態で、当該支柱と前記脚羽根との間の角度を変更することによって、床の不陸や傾斜に対応させることができる。
【００６４】
なお、床の不陸や傾斜に対応させるためには、支柱と脚羽根との間の角度を変更するものの他に、各脚羽根が個別に長さ調整可能に伸縮できるものであってもよい。
【００６５】
キャスタは、脚羽根の開閉方向以外にも転動可能なものであれば、脚を使用位置に開いた状態のままポールパーティションを横方向へ移動させることができるが、本実施形態のように脚羽根の開閉方向のみに転動可能なものであれば、設置場所を固定することができる。
【００６６】
その他、本発明の趣旨を損ねない範囲で種々に変更してよい。
【符号の説明】
【００６７】
Ｐ…ポールパーティション
１…ポール本体
１１…支柱
１１９…下端部
１１０…上端部
１２…本体ベース
１２６…照射窓
１４…照明部
１６…緩衝部
２…脚
（Ａ）…使用位置
（Ｂ）…収納位置
２１…脚羽根
２１１…基端部
２１２…中間部
２１３…先端部
２１６…基端
２２…キャスタ
３…脚支持機構
３１…エンドキャップ
３２…スライダ
３３…自由端リンクメンバ
３７…弾性部材
【図１】
2015010429.tif 000003
【図２】
2015010429.tif 000004
【図３】
2015010429.tif 000005
【図４】
2015010429.tif 000006
【図５】
2015010429.tif 000007
【図６】
2015010429.tif 000008
【図７】
2015010429.tif 000009
【図８】
2015010429.tif 000010
【図９】
2015010429.tif 000011
【図１０】
2015010429.tif 000012
【図１１】
2015010429.tif 000013
【図１２】
2015010429.tif 000014
【図１３】
2015010429.tif 000015
【図１４】
2015010429.tif 000016
【図１５】
2015010429.tif 000017